(57)【要約】      （修正有）【課題】着脱可能な原稿トレイを備えるシート給紙装置において、補助トレイを引き出す操作等で給紙装置から誤って原稿トレイが外れることを防止するシート給紙装置を提供する。【解決手段】原稿の規制板3、４は、シート給送装置の装置本体1及び原稿トレイ5のうちの一方に配設され、規制板に設けられ装置本体及び原稿トレイのうちの他方に向けて突出する係合部又は、前記他方に設けられ前記規制板に向けて突出する係合部と、前記他方又は前記規制板に設けられ、前記係合部に係合する係止部5a5bを有するように構成した。【選択図】図１
2010030773.tif 000002
【特許請求の範囲】
【請求項１】
シートを装置内部に給送する給送手段と、原稿を積載する着脱可能な原稿トレイと、積載された原稿を原稿の幅方向に規制すべく幅方向に移動可能な規制板とを備えたシート給送装置であって、
前記規制板は、前記シート給送装置の装置本体及び前記原稿トレイのうちの一方に配設されるとともに、前記シート給送装置の装置本体及び前記原稿トレイのうちの他方に向けて突出する係合部又は、前記他方から突出する係合部と係合する係止部を有し、
前記他方には前記規制板に設けられた前記係合部に係合する係止部又は、前記規制板に設けられた前記係止部と係合する係合部を設けたことを特徴とするシート給送装置。
【請求項２】
前記シート給送装置の搬送可能な原稿幅の原稿を規制する規制位置に前記規制板を位置させた状態では、前記係合部と前記係止部とが係合し、且つ、前記規制板を前記規制位置以外の所定の位置に位置させた状態にて前記係合部と前記係止部との係合が解除されることを特徴とする請求項１に記載のシート給送装置。
【請求項３】
前記係合部が前記規制板に設けられ、前記係止部が規制板の移動方向に略平行な溝形状部であることを特徴とする請求項1又は２に記載のシート給送装置。
【請求項４】
前記係合部が前記規制板に設けられ、前記係合部が弾性体で形成されていることを特徴とする請求項１又は２に記載のシート給送装置。
【請求項５】
前記係止部が前記規制板に設けられた溝形状部であり、前記係合部が規制板の移動方向と略平行なリブ形状部であることを特徴とする請求項１又は２に記載のシート給送装置。
【発明の詳細な説明】
【技術分野】
【０００１】
本発明は、ユーザーにて着脱可能な原稿トレイを備えた、スキャナ等の画像読取装置並びに、シートを搬送するためのシート搬送装置及びこれを備えた複写機、プリンタ、ファクシミリ等の画像形成装置に関する。
【背景技術】
【０００２】
ファクシミリや画像形成装置、画像読取装置などの事務用機器においては、小型化された装置が増加しており、このような装置では原稿を積載する原稿トレイが給紙部より大きく突出してしまうことがある。大きく突出した原稿トレイを有する装置は持ち運びしにくい。また、梱包箱が大型化してしまうと、物流に不都合である。上記不都合を解決するために、原稿トレイを取り外せる構成を取っているものもある（例えば特許文献１参照）。
【特許文献１】特開２００２−８７６８４号  公報
【発明の開示】
【発明が解決しようとする課題】
【０００３】
しかしながら、原稿トレイが着脱可能な従来のシート給送装置では購入時に原稿トレイを一旦装着するとユーザーが容易に取外せないタイプのものや、ビス止めなどのための工具を用いてユーザーが組み付け、取り外しを行うことが必要となり、着脱が難しいという問題があった。一方、着脱性を改善した着脱可能の原稿トレイとしては、例えば原稿トレイを着脱可能となる位置まで回動して着脱する構成のものがある。この場合、搬送方向に長い原稿を給送する時に使用する補助トレイをユーザーが原稿トレイから引き出す際に、誤って原稿トレイを着脱可能となる位置の方向に回動させてしまい、原稿トレイが外れてしまう問題があった。また、ユーザーがうっかり原稿トレイを持って、装置を移動した場合にも原稿トレイが着脱可能な位置に回動し、シート給送装置から原稿トレイが外れてしまうという問題があった。
【課題を解決するための手段】
【０００４】
上記課題を解決するために、本発明は、シートを装置内部に給送する給送手段と、原稿を積載する着脱可能な原稿トレイと、積載された原稿を原稿の幅方向に規制すべく幅方向に移動可能な規制板とを備えたシート給送装置であって、前記規制板は、前記シート給送装置の装置本体及び前記原稿トレイのうちの一方に配設され、前記規制板に設けられ前記装置本体及び前記原稿トレイのうちの他方に向けて突出する係合部又は、前記他方に設けられ前記規制板に向けて突出する係合部と、前記他方又は前記規制板に設けられ、前記係合部に係合する係止部を有することを特徴とする。
【発明の効果】
【０００５】
給紙する原稿を規制可能な位置に規制板が位置している状態では、原稿トレイとシート給送装置が係合し、外れない状態になる。そのため、原稿トレイに設けてある補助トレイを、搬送方向に長い原稿を積層可能とするように引き出す等の操作をしても、原稿トレイがシート給送装置から外れることがなくなる。また、うっかり原稿トレイを持って装置を移動した際にも、原稿トレイがシート給送装置から外れる恐れがなくなる。更に、係合部を設けるための突出部を有するため規制板が長くなる構成となり、斜行を防止する効果が大きくなり、小型化されたシート給送装置でも、給紙搬送性能を向上させることができる。また、着脱のために工具を用いたり原稿トレイを回転するなどの特別な操作を行ったりする必要がなく、操作が容易になる。また、原稿トレイがなくても給送可能な小サイズの原稿を扱う部署等では、ユーザーが原稿トレイを手間をかけずに取り外して使用することができ、シート給送装置の省スペース化が可能となる。
【発明を実施するための最良の形態】
【０００６】
以下、図面を参照して、本発明の好適な実施の形態を例示しながら詳しく説明する。なお、以下の実施形態では、原稿等の読取対象のシートを一枚ずつ給送するシート給送装置を備えた画像読取装置を例示して説明するが、本発明はこれに限定されるものではなく、例えば、記録紙等の記録対象のシートを一枚ずつ給送する自動シート給送装置に適用しても同様の効果を得ることができる。また、以下の実施形態では画像読取装置の本体に装備されたシート給送装置を例示して説明するが、本発明はこれに限定されるものではなく、例えば記録対象のシートに画像を形成する画像形成部を有する、プリンタ等の画像処理装置、読取対象のシートの画像を読み取る画像読取部及び記録対象のシートに画像を記録する画像形成部を有する複写機、ファクシミリ装置等の画像処理装置、或いはこれらの機能を組み合わせた複合機等の他の画像処理装置であってもよく該画像処理装置に用いられるシート給送装置に本発明を適用することにより同様の効果を得ることができる。
【０００７】
図１４は本発明を適用した画像読取装置の一例である。この画像読取装置は、図のように原稿の読取機能を備えた装置本体１と、搬送路２の給紙口に給紙される原稿を積載する原稿トレイ５と搬送路２の排紙口から排紙された原稿を積載する排紙トレイ６とが設けられている。搬送路２は上流側（原稿トレイ５側）から下流側（排紙トレイ６側）に向けて下方に傾斜して直線状に配置されている。搬送路２には、給送ローラ８、分離ローラ９、搬送ローラ対１０、及び排紙ローラ対１１と原稿の幅方向の移動を規制して斜行を防止する規制板３と４が配置されている。搬送ローラ対１０と排紙ローラ対１１との間には、密着型イメージセンサ等からなる画像読取部１２、および画像読取部１３が配設されている。
【０００８】
原稿トレイ５に表面を下向きにしてセットされた原稿Ｐが、規制板３、４によって幅方向の移動を規制されながら、給送ローラ８と分離ローラ９によって１枚ずつ分離、給送され、搬送ローラ対１０へ到達する。更に、原稿Ｐは、搬送ローラ対１０によって一定速度で画像読取部１２、および画像読取部１３へ搬送される。上側の画像読取部１２では裏面の画像が読み取られ、下側の画像読取部１３では表面の画像が読み取られる。最後に、原稿Ｐは排紙ローラ対１１により排紙トレイ６に排紙される。２枚目以降の原稿Ｐについても、同様の動作がなされ、原稿Ｐは原稿トレイ５にセットされたときと同一の順序で排紙されて、排紙トレイ６に積載される。また、排紙トレイ６は、支軸６ａを支点に回動自在に搬送路２の排紙口近傍に支持され、画像読取装置を使用しないときは、矢印Ｈ方向に回動させることにより、装置本体１側に折り畳まれて収納位置に配置される。
【実施例１】
【０００９】
続いて、本発明の第1の実施例に係る原稿トレイを画像読取装置の本体に固定する方法について説明する。尚、既に図１４で説明した従来のシート給送装置に対比して重複又は相当する部分については、各図に同一符号を付してその説明を省略又は簡略化する。
【００１０】
図１は、本発明に係る原稿トレイを適用した画像読取装置の斜視図である。また、図２は、図１のＡ−Ａ間における部分断面図である。図１に示すように画像読取装置１の本体には前述した原稿の幅方向の移動を規制する規制板３、４が移動可能に設けられている。また、規制板３、４は原稿トレイ５側に突出している。図２に示すとおり、規制板３、４には、一例として三角形の断面を有する突状部である係合部３ａ、４ａがそれぞれ備わっており、原稿トレイ５には、係合部３ａ、４ａを係合する溝状の係止部５ａ、５ｂが備わっている。係合部３ａ、４ａと係止部５ａ、５ｂを係合させ原稿トレイ５が取り付けられた状態で、原稿トレイ５を矢印Ｄの方向に引っ張っても、原稿トレイ５のＤ方向への移動は係合部３ａ、４ａと係止部５ａ、５ｂが係合し抜け止めされているため防止される。
【００１１】
図３は係合が解除され原稿トレイが取り外されるときの装置斜視図である。また、図４は図３のＢ−Ｂ間における部分断面概略図である。規制板３、４は原稿トレイ５の積載面に対して略鉛直方向に移動可能となっており、規制板３、４を引き上げると原稿トレイ５は取り外し可能となる。また、係合部３ａ、４ａの反対側には斜面形状部３ｂ、４ｂがそれぞれ設けてある。
【００１２】
図３において、５ｃは、原稿トレイのガイド部である。今、原稿トレイ５を画像読取装置１の本体に取り付けるために、矢印Ｆの方向へ原稿トレイ５ｃを画像読取装置１に差し込み押し込んでいくと、図４のように規制板の突起部の斜面形状部３ｂ、４ｂに原稿トレイ５が接触し、更に原稿トレイ５を押し込むに従って、規制板の係合部の斜面形状部３ｂ、４ｂを原稿トレイ５が押し上げて、破線で示すように規制板自身が略鉛直方向に退避する。原稿トレイ５が不図示の位置決め部材に当たるまで押し込まれると、押し上げられて退避していた規制板の係合部３ａ、４ａが元の位置に戻り、原稿トレイ５の係止部５ａ、５ｂに嵌まり込んで、図２のように原稿トレイ５と規制板３、４とが係合される。
【実施例２】
【００１３】
前述した第1の実施例では、規制板が原稿トレイ５の積載面に対して略鉛直方向に可動とし、規制板を上げての原稿トレイの取り外しと、原稿トレイを押し込んで規制板を退避させながら原稿トレイの装着を実現した。本実施例は規制板が鉛直方向に可動でない構成にて同様の効果を得られるようにしたものである。
【００１４】
図５は本発明を実施した画像読取装置における、原稿トレイの係合が解除された状態の斜視図である。図５において、溝形状の係止部５ａ、５ｂは、搬送可能な原稿幅よりも外側の解除位置Ｃ−Ｃまで規制板を移動させたときに、規制板を係止しなくなるように開口している。
【００１５】
図６は、図５のＣ−Ｃ間における部分断面図である。原稿を搬送する際には、規制板が原稿幅を規制すべく解除位置Ｃ−Ｃから内側へ移動しているため、第1の実施例での図２と同様に規制板と原稿トレイが係合されており、矢印Ｄの方向に原稿トレイを引っ張っても、係合部３ａ、４ａを係止部５ａ、５ｂが係止しており、原稿トレイ５はＤの方向には動かない。
【００１６】
ユーザーが原稿トレイを外したいと思ったときは、搬送可能な最大原稿幅よりも外側の解除位置Ｃ−Ｃまで規制板３、４を移動すると、図６のように係止が解除され、原稿トレイを容易に外すことが可能となる。一方、原稿トレイ５を取り付ける際には、規制板を解除位置Ｃ−Ｃに移動しておき、図５に示すように矢印Ｆの方向へ原稿トレイ５のガイド部５ｃを画像読取装置１に挿入していくと、原稿トレイ５は押し込んでいくだけで容易に取り付けることができ、やがて不図示の位置決めに突き当たる。原稿トレイ５を不図示の位置決めまで押し込んだ後に、規制板３、４を解除位置Ｃ−Ｃから内側へ移動すると、再び図２のように規制板係合部３ａ、４ａと原稿トレイ係止部５ａ、５ｂが係合し、抜け止めされた状態となる。
【００１７】
尚、本実施例では解除位置Ｃ−Ｃは搬送可能な原稿幅よりも外側で、規制板の可動範囲の外側端として記述したが、可動範囲の最も内側端に解除位置Ｃ−Ｃを設けても同様の効果を得ることができる。なおこの場合は、画像読取装置の給送可能な最小幅の原稿よりも内側に解除位置を設ける。
【実施例３】
【００１８】
前述した各実施例では、規制板の係止部が剛体である場合について説明したが、図８に示すように、規制板の係合部に弾性部材を用いてもよく、以下の構成にて同様の効果が得られる。図９は、図７におけるＥ−Ｅの部分断面図と部分拡大図である。図９において、解除位置は最外側に相当し、係止部５ａ、５ｂには最内側で一番深くなる傾斜が付いている。
【００１９】
規制板３、４を最外側に移動して行くに従い、規制板係合部３ａ、４ａが原稿トレイ５の係止部の傾斜に沿って、弾性部材である係合部が持ち上げられて退避して行き、解除位置にて、原稿トレイ５と規制板３、４との係合が解除される。尚、本実施例では、解除位置は搬送可能な原稿幅よりも外側の規制板の可動範囲最外側にて記載したが、可動範囲の最内側に解除位置を設けても同様の効果を得ることができる。この場合は、図９と逆の傾斜となり、最外側で原稿トレイ係止部５ａ、５ｂの溝が深くなる。
【００２０】
尚、本実施例では弾性部材を、規制板と一体成形を行った樹脂部品とし、樹脂のたわみを弾性体として利用していたが、この限りでなく、例えば図１０のようにような弾性部材を追加しても同様の効果を得ることが出来る。図１０において、１４は弾性部材の一例の圧縮スプリングである。規制板の係合部３ａは、スプリング１４によって所定の力で押圧されている。またスプリング１４の代わりに板バネを用いても同様の効果を得ることができる。
【実施例４】
【００２１】
前述した１〜３の実施例では、画像読取装置側に規制板を備えた場合にて説明したが、図１１に示すように原稿トレイ側に規制板が備わっている場合でも、以下の構成で同様の効果が得られる。図１１は第４の実施例を適用した画像読取装置の概略図である。図１１において、原稿トレイ５は規制板３，４が組み込まれたユニットとなっており、規制板３、４も画像読取装置１に対して着脱可能である。図１２は、図１１のＧ−Ｇ断面概略図である。
【００２２】
図１２において、１ａは、シート給送装置に設けられて規制板を係止する係止部である。第１の実施例における係止部５ａ（不図示の係止部５ｂ）に代わって規制板の係合部４ａ（不図示の規制板の係合部３ａ）の係止部として設けられている。原稿トレイ５をＤの方向に引っ張ると、結合されている規制板３、４もＤの方向に動こうとするが、原稿トレイの係止部１ａと規制板の係合部３ａ、４ａが係合して抜け止めとなっているため、原稿トレイ５の脱落を防止する。
【００２３】
なお、係合を解除して原稿トレイ５を取り外す方法としては、実施例１、２と同様に、規制板を上方に移動させるか、規制板を原稿規制位置から外れた位置に移動させて係合を解除する方法等を適用できる。
【００２４】
続いて、本発明の第５の実施例に係る原稿トレイの固定方法について説明する。前述した第１〜４の実施例では、規制板を係止する係止部を、規制板が移動する方向と平行な溝形状とした場合について記載した。しかし、本発明はこれらに限定されるものではなく、例えば、図１３に例示するように、規制板側に溝形状の係止部を設け、他方の側に規制板の移動方向と略平行なリブ形状の係合部を設ける構成でも同様の効果を得ることが出来る。
【００２５】
図１３において、規制板３，４は画像読取装置１の本体に設置されており、原稿トレイ５側に突出している。規制板３、４には、後述する係合部５ｄと係合する係止部３ｃ、４ｃを備えている。また原稿トレイには、規制板の移動方向と平行にリブ形状を有した係合部５ｄを備えている。本実施例では実施例１の構成からの変更点として、規制板側の係合部を溝状の係止部に、原稿トレイ５側の係止部をリブ状の係合部に置き換えている。なお、第３、第４の実施例の構成から、係合部３ａ、３ｂを溝形状の係止部に変更し、原稿トレイの係止部５ａ、５ｂや画像読取装置の本体に設けた係止部１ａを突起形状の係合部に変更した構成等でも同様の効果を得ることができる。
【００２６】
上記各実施例の任意の構成要素を他の実施例に適用してもよく、本発明に含まれる。
【００２７】
このように構成されるシート給送装置の原稿トレイ５は、原稿を搬送する際に用いる規制板の可動範囲内に位置する場合は、例えば図２に示すように規制板の係合部３ａ、４ａと原稿トレイかシート給送装置の本体の係止部５ａ、５ｂとがそれぞれ係合し、誤ってユーザーが原稿トレイを持って装置を動かしても容易に外れることはない。また、原稿を規制しない解除位置まで規制板を移動すると、誰でも容易に原稿トレイ５を取り外せるので、扱う原稿の大きさが小さいときは原稿トレイ５を手間を掛けずに外せるので省スペースな装置となる。また、ユーザーによる原稿トレイの取り付けが容易なので、原稿トレイを取り外しての輸送が可能となり、梱包形態も小型化できる。
【図面の簡単な説明】
【００２８】
【図１】第1の実施例におけるシート給送装置の斜視図
【図２】図１の部分断面図
【図３】係合解除状態の原稿トレイ部分の斜視図
【図４】図３の部分断面概略図
【図５】第２の実施例を適用した係合解除状態のシート給送装置の斜視図
【図６】図５の部分断面図
【図７】第３の実施例における原稿トレイ
【図８】第３の実施例における規制板
【図９】図７の部分断面図
【図１０】規制板の係合部に圧縮バネを追加した部分概略図
【図１１】第４の実施例におけるシート給送装置の部分斜視図
【図１２】図１１の部分断面概略図
【図１３】第５の実施例を適用したシート給送装置の部分概略図
【図１４】本発明を適用した画像読取装置
【符号の説明】
【００２９】
Ｐ・・・原稿
１・・・シート給送装置
１ａ・・・シート給送装置の係止部
２・・・搬送路
３・・・規制板
３ａ・・・規制板の係合部
３ｂ・・・規制板の係合部の斜面形状部
４・・・規制板
４ａ・・・規制板の係合部
４ｂ・・・規制板の係合部の斜面形状部
５・・・原稿トレイ
５ａ・・・原稿トレイ係止部
５ｂ・・・原稿トレイ係止部
５ｃ・・・原稿トレイガイド部
６・・・排紙トレイ
６ａ・・・排紙トレイ支軸
７・・・ギア
８・・・給送ローラ
９・・・分離ローラ
１０・・・搬送ローラ対
１１・・・排紙ローラ対
１２・・・画像読取部
１３・・・画像読取部
１４・・・バネ
【図１】
2010030773.tif 000003
【図２】
2010030773.tif 000004
【図３】
2010030773.tif 000005
【図４】
2010030773.tif 000006
【図５】
2010030773.tif 000007
【図６】
2010030773.tif 000008
【図７】
2010030773.tif 000009
【図８】
2010030773.tif 000010
【図９】
2010030773.tif 000011
【図１０】
2010030773.tif 000012
【図１１】
2010030773.tif 000013
【図１２】
2010030773.tif 000014
【図１３】
2010030773.tif 000015
【図１４】
2010030773.tif 000016